(57)【特許請求の範囲】
【請求項１】
少なくとも１つの壁を有するシャワー室に固定されるシャワー設備であって、
操作高さで壁に取り付けられるフィッティングハウジングを有し、フィッティングハウジングが操作エレメントを有し、操作エレメントがシャワー設備の連続的な中空セクションに対する水の供給を制御し、連続的な中空セクションが第１及び第２脚とクロス部材とを有し、
第１脚が、壁に関して永久的に取り付けられてフィッティングハウジングから壁の面と平行に上向きに延在しており、第１脚が直接フィッティングハウジングに連結されていて水をフィッティングハウジングからシャワー設備に運ぶようになっており、
第２脚が、第１脚から間隔を空けて上向きに延在しており、第２脚が第１脚と平行であり、
クロス部材が、第１及び第２脚の上部端部を接続していて水をフィッティングハウジングから第２脚に運ぶようになっており、クロス部材を備えた第１及び第２脚が、弧状中空セクションを形成していてシャワー領域の周囲で所定の距離にわたって延在しており、クロス部材が、第１脚を通ってフィッティングハウジングに連結しており、
少なくとも１つのノズルが、弧状中空セクションに連結されていて、水をフィッティングハウジングからシャワー領域に案内している、シャワー設備。
【請求項２】
クロス部材が、シャワー室の壁から間隔を空けてシャワー領域の中央にわたって案内されていることを特徴とする請求項１に記載のシャワー設備。
【請求項３】
弧状中空セクションが、第１及び第２脚の平面内にあることを特徴とする、請求項１に記載のシャワー設備。
【請求項４】
クロス部材が、第１及び第２脚の平面から曲がっていることを特徴とする請求項１に記載のシャワー設備。
【請求項５】
第１及び第２脚の両方が、ストレートであることを特徴とする請求項１に記載のシャワー設備。
【請求項６】
第１及び第２脚の少なくとも一方に連結されていて、フィッティングハウジングからシャワー領域へ水を案内するノズルを有することを特徴とする請求項１に記載のシャワー設備。
【請求項７】
弧状中空セクションが、水ラインを備えていて、水をフィッティングハウジングから第２脚に連結された少なくとも１つのノズルに運ぶことを特徴とする請求項６に記載のシャワー設備。
【発明の詳細な説明】
【技術分野】
【０００１】
本発明は、シャワー領域に配置された永久的に設置されるヘッドノズルを有するシャワー設備に基づいている。
【関連技術】
【０００２】
この種の公知のシャワー設備（米国特許２，３３６，４０２）において、シャワー領域は３つの側壁を有するキャビンとして配置されている。パイプがシャワー領域のコーナで垂直上方に通っていて、シャワー領域の中央上方のヘッドノズルのところに集まっている。サイドノズルは垂直パイプに取り付けられている。
【０００３】
“シャワー領域”として理解されるのは、使用者が着座又は起立してシャワーを浴びる位置である。それは、シャワー室、シャワーセル、又はバスタブ内の場所とすることができる。このようなシャワー領域はまた、概略中心を有する。この中心は、幾何学上の中心とすることができる。
【特許文献１】米国特許２，３３６，４０２
【発明の開示】
【発明が解決しようとする課題】
【０００４】
本発明は、単純な構成を有し、異なるタイプのシャワー領域に使用され得るシャワー設備を創作するという課題に基づいている。
【課題を解決するための手段】
【０００５】
この課題を解決するために、本発明は、請求項１に記載された構成のシャワー設備を提供する。本発明の発展は、従属請求項の主題となっている。
【発明を実施するための形態】
【０００６】
シャワー設備は、弧状中空セクションを含み、これは２つの脚で終了している。これらの２つの脚は、クロス部材に接続されていて、あぶみ形状を生じている。クロス部材は、弧状にされてＵ形状を生じることが可能である。それは弧状から逸脱してストレートなラインを形成することも可能である。それは複数の脚の上部端部に正確に接触する必要は無く、それらから所定の距離を置くことが可能である。ノズルは、クロス部材に取り付けられて、それがほぼシャワー領域の中心にあるようになっている。
【０００７】
両方の脚は、少なくとも部分的に平面内にあり、両方の脚の平面は異なるものとすることができる。
【０００８】
この設備は、シャワー領域の中心上方に取り付けられるノズル、特にヘッドノズルとして構成されることを可能にする。追加のホルダは弧状中空セクションを除いて必要ない。
【０００９】
２つの脚の下部端部を使用してシャワー設備を取り付けることが考えられる。本発明の有利な発展において、２つの脚が、壁又は他の垂直設備に永久的に取り付けられていることが特に明示される。脚が少なくとも部分的に平面内にあるので、それらは垂直表面に非常に容易に取付けられ得る。それらは壁に直接的に又は壁から所定の距離を置いて取付けられ得る。とりわけ、これは中空セクションのタイプ、例えばセクションがフラットか丸いかどうかに依存している。
【００１０】
ノズルは、例えばアームを備えたシャワー領域の中央に向けられることが可能である。とくに好ましいのは、もっとも、弧状中空セクションのクロス部材がシャワー領域の中心に通るようにそれが配置されているときである。
【００１１】
既に述べられたことだが、２つの脚は同じ平面にある必要はない。本発明の別の実施例において、両方の脚は同じ平面にある。
【００１２】
他の可能な脚の構成は、脚が平行する平面内にあることである。
【００１３】
本発明によれば、特に好ましいのは、全弧状中空セクションが１つの平面内にあるときである。
【００１４】
本発明により提案される別の可能な実施例において、クロス部材は、少なくとも１つの脚の平面から、好ましくは両方の脚の平面から曲がり得る。
【００１５】
本発明によれば、両方の脚はストレートにすることができる。これは最も単純な製造可能性であり、これはまたさまざまな使用を提供する。
【００１６】
本発明は、シャワー設備の少なくとも１つの脚と好ましくは両方の脚が、少なくとも１つのノズルを備えていることを提案する。これらは小さく、空間を節約するサイドノズルとすることができる。
【００１７】
少なくとも１つのノズルが、中空セクション内の水ラインにより好ましくは供給され得る。別体の水ラインを例えば弧状中空セクションの外側に取り付けることももちろん考えられる。視覚上の理由により、もっとも、水ラインが弧状中空セクション内に配置されるのが好ましい。フィッティングハウジングが弧状中空セクションの１つの脚に直接接続するので、これはより望ましい。
【００１８】
本発明の追加の構成、詳細及び好ましい構成は、本発明の好ましい実施例、請求項、要約及び図面についての以下に続く詳細な説明に見出される。請求項及び要約の表現は、詳細な説明の一部を参照することによりなされている。
【実施例】
【００１９】
図１は、本発明によるシャワー設備が、どのように壁を備えたシャワー室とフロアに取り付けられ得るかの概観図を示す。シャワー設備は、第１脚１を有し、これは描かれた例においてストレートであり、それゆえ平面上にある。脚１は、フィッティングハウジング２を備えていてこれは操作高さにある。描かれた例において、脚１は、フィッティングハウジング２の上部及び下部から延在している。たとえ脚１がフィッティングハウジング２内で連続したパイプとして構成されていなくても、この印象がその設備により与えられる。脚１はそれゆえフィッティングハウジング２の上方及び下方を一直線に通っている。
【００２０】
シャワー設備は、第２脚３を有し、これもまた描かれた例においてストレートである。従ってそれもまた平面上にある。ここで描かれた最も単純な場合において、両方の脚１、３は平行であり、それゆえ同一平面内にある。
【００２１】
２つの脚１、３の上部領域は、クロス部材４によって接続されており、これはストレート部として構成される必要は無いが、幾つかの斜めの又は曲がった部分から構成され得る。“クロス部材”として理解されるのは、２つの脚を互いに接続する部分である。その上部領域で、クロス部材４はノズル５を備えていて、これは好ましくは直下に噴射するヘッドノズルである。
【００２２】
第１脚１は、シャワー室の壁６に取り付けられていて、この壁６と第２壁８を接続するコーナ７から一定の距離を置いている。
【００２３】
シャワー設備の第２脚３もまた、壁８、すなわちコーナ７を介して第１壁６に連結された壁８に取り付けられている。第２脚３もまた、コーナ７から一定の距離をおいて取り付けられている。クロス部材４は、それゆえシャワー領域をほぼ対角線状に通っていて、その上部がシャワー領域のほぼ中央のすぐ上にあるようになっている。
【００２４】
脚１、３及びクロス部材４は、連続的な中空セクションとして構成されていて、フィッティングハウジング２から生ずる水が、中空セクションの内側を通ってヘッドノズル５に案内され得るようになっている。更に記載されていないフィッティングが、フィッティングハウジング２内に配置されていて、このフィッティングは操作エレメント９を用いて操作され得る。内向きにされた個々のサイドノズル１１は、両方のストレート脚１、３に配置されている。
【００２５】
フィッティングハウジング２に設けられた中空セクションは、シャワー室内のコーナに配置されることが可能であり、そこではコーナが直角である必要はなく、中空セクションは図２に示されるようなコーナで結合しない２つの壁にも接続され得る。２つの壁６、８は、第３壁１２を介して接続されることを示している。特に、壁６、８は、平行とすることができる。この場合同様に、シャワー設備は２つの壁にネジ止めされることが可能であり、クロス部材４がシャワー領域のほぼ中央をクロスするようになっている。
【００２６】
同じ設備が図１及び２で使用される。この場合には、全弧状中空セクションが一つの平面内にある。脚はストレート及び平行である。図３は、２つの脚１、３が同じ平面にあるとともに、ストレート及び平行でもある実施例を示す。もっとも、クロス部材は、２つの脚１、３がある平面の外側で曲がっている。この設備は、単一の壁の前面に取り付けられることが可能であり、ノズル５が壁６から十分遠く離れて配置されてこの場合にもシャワー領域を形成し得るようになっている。図３のシャワー設備の平面図は、図９のそれとほぼ対応している。
【００２７】
以下の図は、弧状中空セクションがどのように構成され得るかの極めて単純化された選択を示す。フィッティングハウジング２は、時々省かれている。加えて、クロス部材４は、ストレート部分として常に構成されている。図４及び５は、最も単純な構成の正面及び上面図を示し、そこでは両方の脚１、３がストレート及び平行、すなわち同じ平面にあり、クロス部材４もまた同じ平面にある。これは、クロス部材がこの場合ストレートであることを除いて、図１及び２の設備に対応している。
【００２８】
図４の正面図はまた、図３の設備に対応している。
【００２９】
図６及び７は、弧状中空セクションが、２つの脚１、３及びクロス部材４を備えた平面にある設備を示しているが、２つの脚１、３は平行ではない。視覚上の理由のため、このような設備が推奨され得る。図６の設備で、クロス部材を図３における設備のように構成することももちろん可能である。
【００３０】
図８は、もう１つの可能な設備を示しており、そこでは２つの脚１、３が正面から見て平行であるが、上部から見てそうでない。この実施例において、２つの脚１、３は平行な平面内にある。この設備は、たとえば図２に示されるようにして取り付けられ得る。
【００３１】
図９は、例えば図３に対応する上面図を示す。もっとも、図６のように２つの分岐した脚１、３を備えた設備が構成されることが可能であり、クロス部材４が２つの脚１、３の平面から前方に曲げられるようになっている。
【００３２】
図１０は、２つの脚１、３が収束する実施例の正面図を示す。
【００３３】
図１１は、図１の設備の上面図を示し、そこから２つの脚が後方にも収束していることが理解できる。両方の脚１、３もまた、それら自身の平面内にあり、２つの脚の各平面は一致しない。このような設備は、例えばコーナに取り付けられることが可能であり、そこでは２つの脚１、３の２つの平面はコーナ角度に対応している。
【図面の簡単な説明】
【００３４】
【図１】シャワー室のコーナにある、本発明による概略設備。
【図２】２つの平行な壁を備えたシャワー室にある、本発明により提供されるシャワー設備。
【図３】単一の壁の前にある弧状中空セクションの概略設備。
【図４】シャワー設備の正面を示す単純化された表現。
【図５】シャワー設備の上面図であり、この正面図は図４に対応している。
【図６】発散する脚を備えた実施例の図４に対応する正面図。
【図７】図６の設備の上面図。
【図８】他の実施例の図５及び７に対応する上面図。
【図９】図３と同様な設備の上面図。
【図１０】他の実施例の図４及び６に対応する正面図。
【図１１】図１０の実施例の図９に対応する上面図。
【符号の説明】
【００３５】
１、３  脚
２  フィッティングハウジング
４  クロス部材
５  ノズル
６、８、１２  壁
７  コーナ
９  操作エレメント
１１  サイドノズル
【図１】
0004521776.tif 000002
【図２】
0004521776.tif 000003
【図３】
0004521776.tif 000004
【図４】
0004521776.tif 000005
【図５】
0004521776.tif 000006
【図６】
0004521776.tif 000007
【図７】
0004521776.tif 000008
【図８】
0004521776.tif 000009
【図９】
0004521776.tif 000010
【図１０】
0004521776.tif 000011
【図１１】
0004521776.tif 000012